(57)【要約】【課題】効率的にドレン水を蒸発させることができるドレン水蒸発装置を提供する。【解決手段】ドレン水蒸発装置１は、蒸発皿１１上に、毛細管作用及び剛性を有した蒸発板から成るドレン水受け部材１０を、上下方向に複数段配置し、各ドレン水受け部材１０は、蒸発板にて構成された上下方向の複数の桁材１２により保持する構成としたので、上方から流れ落ちたドレン水を各階層のドレン水受け部材１０にて一時的に保水し、効率的にドレン水を蒸発させる。【選択図】      図２
2004293954.tif 000002
【特許請求の範囲】
【請求項１】
蒸発皿上に、毛細管作用及び剛性を有した蒸発板から成るドレン水受け部材を、上下方向に複数段配置したことを特徴とするドレン水蒸発装置。
【請求項２】
複数の前記ドレン水受け部材を保持する上下方向の桁材を、前記蒸発板から構成したことを特徴とする請求項１のドレン水蒸発装置。
【請求項３】
下方に位置する前記ドレン水受け部材の面積を上方のものより拡張したことを特徴とする請求項１又は請求項２のドレン水蒸発装置。
【請求項４】
前記ドレン水受け部材を、前記蒸発皿に対して着脱自在に設けたことを特徴とする請求項１又は請求項２のドレン水蒸発装置。
【請求項５】
ドレン水の排出口と最上段の前記ドレン水受け部材の間に、加熱手段にて加熱される一時保留皿を介設したことを特徴とする請求項１、請求項２、請求項３又は請求項４のドレン水蒸発装置。
【発明の詳細な説明】
【０００１】
【発明の属する技術分野】
本発明は、冷蔵庫や低温ショーケースなどに使用されるドレン水蒸発装置に関するものである。
【０００２】
【従来の技術】
従来よりこの種のドレン水蒸発装置は、冷蔵庫などの本体下部の機械室内に金属製の蒸発皿を設け、冷却器からの除霜水をこの蒸発皿にて受けると共に、この蒸発皿内に配設される電気ヒーターにて、蒸発皿内の除霜水を強制的に加熱蒸発処理していた。
【０００３】
しかしながら、電気ヒーターによる除霜水の強制蒸発による処理方法では、消費電力が大きく、ランニングコストが高騰する問題があった。特に、大型のショーケースでは水位センサーを設けて水位を検知し、これにより電気ヒーターのＯＮ／ＯＦＦ制御を行っているが、この際、電気ヒーターの通電は１００％であるため、消費電力が大きくなる問題があった。また、この電気ヒーターは消費電力が大きいことに加えて通電時間が長いため、省エネルギーの面で改善が望まれていた。
【０００４】
そこで、従来では、当該技術的課題を解決するため、ドレン水を溜めるドレン受皿と、このドレン受皿内に設置される複数の蒸発板によりドレン水蒸発装置を構成した（特許文献１参照。）。
【０００５】
【特許文献１】
特開平７−１３３９７７号公報
【０００６】
【発明が解決しようとする課題】
しかしながら、上記従来のドレン水蒸発装置では、蒸発板を構成する蒸発部材を毛細管作用及び剛性を有する素材にて構成し、当該蒸発板の上面及び両側面に切欠を形成し、係る蒸発板に側方から固定板を挿入し、上部に上部蒸発板を嵌合して構成するものであった。そのため、当該ドレン水蒸発装置の上方から滴下したドレン水は、上部蒸発板に吸収された後、蒸発し、当該蒸発板にて蒸発しきれないドレン水は、毛細管作用により下方へ向かい、上部蒸発板の下方に立設して構成された複数の蒸発板にまで降下し、ドレン水受皿に到達していた。
【０００７】
ここで、上部蒸発板から溢出したドレン水は、そのまま垂直方向に滴下していくため、蒸発板の吸収能力以上にドレン水を保持することができず、ドレン水受皿に到達するドレン水が多くなり、蒸発効率が悪いという問題があった。また、上部蒸発板から溢出したドレン水には、ゴミなどが混入していることがあり、当該ゴミまでもがドレン水受皿に到達し、掃除メンテナンスが煩雑となる問題があった。
【０００８】
そこで、本発明は従来の技術的課題を解決するために成されたものであり、効率的にドレン水を蒸発させることができるドレン水蒸発装置を提供することを目的とする。
【０００９】
【課題を解決するための手段】
本発明のドレン水蒸発装置は、蒸発皿上に、毛細管作用及び剛性を有した蒸発板から成るドレン水受け部材を、上下方向に複数段配置したことを特徴とする。
【００１０】
本発明のドレン水蒸発装置によれば、蒸発皿上に、毛細管作用及び剛性を有した蒸発板から成るドレン水受け部材を、上下方向に複数段配置したので、上方から流れ落ちたドレン水を各階層のドレン水受け部材にて一時的に保水することができるようになる。これにより、蒸発に有効な面積を大幅に拡張することができ、ドレン水の蒸発効率を向上させることができるようになる。
【００１１】
請求項２の発明のドレン水蒸発装置は、上記発明において、複数のドレン水受け部材を保持する上下方向の桁材を、蒸発板から構成したことを特徴とする。
【００１２】
請求項２の発明によれば、上記発明において、複数のドレン水受け部材を保持する上下方向の桁材を、蒸発板から構成したので、これによってもドレン水を一時的に保水することができ、該ドレン水の蒸発効率を向上させることができるようになる。
【００１３】
請求項３の発明のドレン水蒸発装置は、上記各発明において、下方に位置するドレン水受け部材の面積を上方のものより拡張したことを特徴とする。
【００１４】
請求項３の発明によれば、上記各発明において、下方に位置するドレン水受け部材の面積を上方のものより拡張したので、当該ドレン水蒸発装置の周囲にドレン水がこぼれ落ちることを抑制することができるようになる。
【００１５】
請求項４の発明のドレン水蒸発装置は、請求項１又は請求項２の発明において、ドレン水受け部材を、蒸発皿に対して着脱自在に設けたことを特徴とする。
【００１６】
請求項４の発明によれば、請求項１又は請求項２の発明において、ドレン水受け部材を、蒸発皿に対して着脱自在に設けたので、各ドレン水受け部材で捕集されたゴミは、当該ドレン水受け部材を外し、別途洗い流すことが可能となる。これにより、清掃作業性が格段に向上する。また、当該ドレン水受け部材の交換作業性も向上する。
【００１７】
請求項５の発明のドレン水蒸発装置は、上記各発明において、ドレン水の排出口と最上段のドレン水受け部材の間に、加熱手段にて加熱される一時保留皿を介設したことを特徴とする。
【００１８】
請求項５の発明によれば、上記各発明において、ドレン水の排出口と最上段のドレン水受け部材の間に、加熱手段にて加熱される一時保留皿を介設したので、より一層、ドレン水の蒸発効率の向上を図ることができるようになる。
【００１９】
【発明の実施の形態】
次に、図面に基づき本発明の実施形態を詳述する。図１は本発明を適用した冷却装置のコンデンシングユニットＲの斜視図、図２は本発明のドレン水蒸発装置１の斜視図、図３は同じくドレン水蒸発装置１の断面図を示している。
【００２０】
本発明のドレン水蒸発装置１を備えるコンデンシングユニットＲは、例えば、冷却貯蔵庫を構成する断熱箱体下方に形成される機械室内に配設されるものである。このコンデンシングユニットＲは、断熱箱体内に配設される図示しない冷却器と共に冷却装置を構成する圧縮機２と、凝縮器３と、図示しない凝縮器用送風機と、コントロールボックス４と、本発明のドレン水蒸発装置１と、該ドレン水蒸発装置用送風機５などから構成されている。
【００２１】
尚、断熱箱体内の冷却器はコンデンシングユニットＲの圧縮機２や凝縮器３などと冷媒配管にて接続され、周知の冷媒回路を構成している。また、この冷却器の近傍には、当該冷却器の冷却作用にて冷却される空気を断熱箱体内に循環させるための冷却器用送風機が設けられている。そして、この冷却器が配設される断熱箱体内の冷却室の底壁には、前記機械室内に突出する図示しない排水管が設けられ、冷却器の除霜動作によって冷却器から滴下したドレン水をドレン水蒸発装置１に導くように構成している。
【００２２】
また、コンデンシングユニットＲを構成するこれらは、同一の取付台６上に設けられている。これにより、コンデンシングユニットＲは、図示しないキャスターを利用して取付台６ごと機械室内に納出自在とされ、取付台６上の圧縮機２等のメンテナンス作業が容易に行える構成とされている。
【００２３】
次に、図２乃至図３を参照して本発明のドレン水蒸発装置１について説明する。本発明のドレン水蒸発装置１は、一時保留皿１３と、複数のドレン水受け部材１０と、該ドレン水受け部材１０を保持する複数の桁材１２と、当該ドレン水受け部材１０及び桁材１２を収容する蒸発皿１１によって構成されている。一時保留皿１３、ドレン水受け部材１０及び桁材１２は、それぞれ毛細管作用及び剛性を有した蒸発板から構成されているものとする。
【００２４】
本実施例において、桁材１２は、側面に前方から後方に渡ってドレン水受け部材１０を挿入するための開口が上方から下方に渡って複数、本実施例では、ドレン水受け部材１０を４段設けるため、４段形成されている。また、ドレン水受け部材１０は、側端が折曲自在に形成されている。一時保留皿１３は、上方に開口した皿状を呈しており、図示しない蒸発パイプやヒータなどの加熱手段が設けられている。
【００２５】
これにより、複数の桁材１２が立設された状態で、側方の前記開口から側端を真っ直ぐに折曲した各ドレン水受け部材１０を挿入することにより、安定してドレン水受け部材１０を上下方向に複数段設けることができるようになる。尚、挿入後は、各ドレン水受け部材１０の側端を上方に折曲するものとする。そして、最上段のドレン水受け部材１０の上方には、各桁材１２の上端に位置して前記一時保留皿１３が固定される。
【００２６】
そして、桁材１２により複数段形成された一時保留皿１３及びドレン水受け部材１０は、前記蒸発皿１１上に着脱自在に取り付け、若しくは、載置される。これにより、ドレン水蒸発装置１が構成される。
【００２７】
以上の構成により、前記圧縮機２２、前記冷却器用送風機、前記凝縮器用送風機及びドレン水蒸発装置用送風機５が運転されると、前記冷却器が冷却作用を発揮し、この冷却器と熱交換した冷気は図示しない吐出口から断熱箱体内に吹き出される。そして、断熱箱体内を循環した後、図示しない吸込口から吸引される。これによって、断熱箱体内は所定の冷蔵温度に維持される。
【００２８】
上記冷却運転によって冷却器には着霜が成長するため、冷却装置を制御する制御装置は定期的に圧縮機２を強制停止し、前記冷却器用送風機のみ運転させて冷却器の除霜を行う。この除霜によって冷却室の底壁に流下したドレン水などの排水は、前記排水管を介して、ドレン水蒸発装置１の一時貯留皿１３内に受容される。
【００２９】
一時貯留皿１３内に流入したドレン水は、該貯留皿１３を構成する蒸発板に吸収され、大気に露出している部分から蒸発する。また、該貯留皿１３には、加熱手段が設けられていることから、当該加熱手段の加熱作用により該貯留皿１３を加熱することにより、該貯留皿１３に吸収されたドレン水を効果的に蒸発させることができる。そして、当該貯留皿１３において蒸発しきれないドレン水は、毛細管作用により各桁材１２を介して下方へ向かい、該桁材１２に染み込んでいき、桁材１２の大気に露出している部分から蒸発する。また、貯留皿１３及び当該桁材１２にて蒸発しきれないドレン水は、最上段のドレン水受け部材１０内に流入し、該ドレン水受け部材１０に吸収され、ここにおいても大気に露出している部分から蒸発する。
【００３０】
更に、最上段のドレン水受け部材１０にても蒸発しきれないドレン水は、上から順に各階層のドレン水受け部材１０に流れ落ち、各ドレン水受け部材１０にてドレン水を一時的に保水することができる。そして、各ドレン水受け部材１０にても蒸発しきれないドレン水のみが、蒸発皿１１に到達し、当該蒸発皿１１にて蒸発される。
【００３１】
係る構成により、ドレン水蒸発装置１の上方に流れ落ちたドレン水は、上述した如く一時貯留皿１３及び各階層のドレン水受け部材１０にて一時的に保水することができる。そのため、蒸発に有効な面積を大幅に拡張することができ、ドレン水の蒸発効率を向上させることができる。
【００３２】
冷却室から流れ落ちたドレン水には、断熱箱体内や冷却室内のゴミ等が混入している場合があるが、当該ドレン水蒸発装置１では、上下方向に一時貯留皿１３及び複数段のドレン水受け部材１０を備えているため、一時貯留皿１３又は何れかのドレン水受け部材１０にてゴミ等を捕獲することができ、最終的に蒸発皿１１まで該ゴミ等を到達させる不都合を回避することができるようになる。
【００３３】
また、本実施例では、各ドレン水受け部材１０を保持する上下方向の複数の桁材１２は、ドレン水受け部材１０と同様に蒸発板から構成されているため、これによってもドレン水を一時的に保水することができ、該ドレン水の蒸発効率を向上させることができる。
【００３４】
また、このドレン水蒸発装置１の近傍には、ドレン水蒸発装置用送風機５が設けられているため、この送風機５を運転することにより、より一層、ドレン水の蒸発効率を向上させることができるようになる。
【００３５】
桁材１２により固定された一時貯留皿１３及び複数段のドレン水受け部材１０は、蒸発皿１１に着脱自在に取り付け、若しくは載置されているため、一時貯留皿１３又は各ドレン水受け部材１０で捕集されたゴミは、当該貯留皿１３又はドレン水受け部材１０を外し、別途洗い流すことが可能となる。これにより、清掃作業性が格段に向上する。また、当該一時貯留皿１３又はドレン水受け部材１０の交換作業性も向上する。
【００３６】
尚、他の実施例として、図４に示す如く本発明のドレン水蒸発装置１を構成するドレン水受け部材１０を下方に位置するほど、幅・奥行き寸法の大きい蒸発板にて構成してもよいものとする。これにより、下方に位置するドレン水受け部材１０の面積が上方のものより拡張されているため、ドレン水蒸発装置１の周囲にドレン水がこぼれ落ちることを抑制することができるようになる。そのため、ドレン水蒸発装置１周囲を汚染する不都合を抑制することができる。
【００３７】
尚、上記各実施例において、最上段のドレン水受け部材１０とドレン水の排出口、即ち排水管との間に加熱手段を備えた一時保留皿１３を設けているが、当該一時保留皿１３に加熱手段を設けず、蒸発板を上方に開口した皿状に形成したものを用いてもよいものとする。
【００３８】
【発明の効果】
以上詳述した如く本発明によれば、蒸発皿上に、毛細管作用及び剛性を有した蒸発板から成るドレン水受け部材を、上下方向に複数段配置したので、上方から流れ落ちたドレン水を各階層のドレン水受け部材にて一時的に保水することができるようになる。これにより、蒸発に有効な面積を大幅に拡張することができ、ドレン水の蒸発効率を向上させることができるようになる。
【００３９】
請求項２の発明によれば、上記発明において、複数のドレン水受け部材を保持する上下方向の桁材を、蒸発板から構成したので、これによってもドレン水を一時的に保水することができ、該ドレン水の蒸発効率を向上させることができるようになる。
【００４０】
請求項３の発明によれば、上記各発明において、下方に位置するドレン水受け部材の面積を上方のものより拡張したので、当該ドレン水蒸発装置の周囲にドレン水がこぼれ落ちることを抑制することができるようになる。
【００４１】
請求項４の発明によれば、請求項１又は請求項２の発明において、ドレン水受け部材を、蒸発皿に対して着脱自在に設けたので、各ドレン水受け部材で捕集されたゴミは、当該ドレン水受け部材を外し、別途洗い流すことが可能となる。これにより、清掃作業性が格段に向上する。また、当該ドレン水受け部材の交換作業性も向上する。
【００４２】
請求項５の発明によれば、上記各発明において、ドレン水の排出口と最上段のドレン水受け部材の間に、加熱手段にて加熱される一時保留皿を介設したので、より一層、ドレン水の蒸発効率の向上を図ることができるようになる。
【図面の簡単な説明】
【図１】本発明を適用した冷却装置のコンデンシングユニットの斜視図である。
【図２】本発明のドレン水蒸発装置の斜視図である。
【図３】ドレン水蒸発装置の断面図である。
【図４】他の実施例のドレン水蒸発装置の断面図である。
【符号の説明】
Ｒ  コンデンシングユニット
１  ドレン水蒸発装置
２  圧縮機
３  凝縮器
４  コントロールボックス
５  ドレン水蒸発装置用送風機
６  取付台
１０  ドレン水受け部材
１１  蒸発皿
１２  桁材
１３  一時貯留皿
【図１】
2004293954.tif 000003
【図２】
2004293954.tif 000004
【図３】
2004293954.tif 000005
【図４】
2004293954.tif 000006